(57)【特許請求の範囲】
【請求項１】
矩形状の略葉書３枚分のサイズの基紙にミシン目で形成された折目線とミシン目で形成された切取線が当該基紙を略３等分する位置に設けられ、葉書本体片と記入用紙片とが前記折目線を介して連接され、記入用紙片と広告用紙片とが前記切取線を介して連接されている葉書であって、基紙を展開して広告用紙片と記入用紙片と葉書本体片とが順に並んで一面を成す状態で、その一方の面を外側面とし、その他方の面を内側面とした場合、
前記葉書本体片の外側面には受取人の郵便番号、住所、宛名が記載され、
前記葉書本体片の内側面には再剥離再貼付粘着剤層を介して剥離紙が重ねられ、
前記記入用紙片の外側面の一部には潜在画像形成領域が設けられ、
前記記入用紙片の内側面には所定事項記入欄が設けられ、
前記広告用紙片の外側面及び前記記入用紙片の外側面に渡って広告スペースが設けられ、
前記潜在画像形成領域には前記記入用紙片を構成する基紙の外側面の上に地紋印刷層が形成され、前記地紋印刷層の上に硬貨の金属よりも硬度の大きい材料を含むインキ組成物で潜在画像が印刷形成され、硬貨で擦ることにより硬貨の削られた金属で印刷された前記潜在画像が着色され視認可能となることを特徴とする葉書。
【請求項２】
矩形状の略葉書３枚分のサイズの基紙にミシン目で形成された折目線とミシン目で形成された切取線が当該基紙を略３等分する位置に設けられ、葉書本体片と記入用紙片とが前記折目線を介して連接され、記入用紙片と広告用紙片とが前記切取線を介して連接されている葉書であって、基紙を展開して広告用紙片と記入用紙片と葉書本体片とが順に並んで一面を成す状態で、その一方の面を外側面とし、その他方の面を内側面とした場合、
前記葉書本体片の外側面には受取人の郵便番号、住所、宛名が記載され、
前記葉書本体片の内側面には再剥離再貼付粘着剤層を介して剥離紙が重ねられ、
前記記入用紙片の外側面の一部には潜在画像形成領域が設けられ、
前記記入用紙片の内側面には所定事項記入欄が設けられ、
前記広告用紙片の外側面及び前記記入用紙片の外側面に渡って広告スペースが設けられ、
前記剥離紙の折目線の側の側端縁が折目線よりも葉書本体片側に後退しており、
前記潜在画像形成領域には前記記入用紙片を構成する基紙の外側面の上に地紋印刷層が形成され、前記地紋印刷層の上に硬貨の金属よりも硬度の大きい材料を含むインキ組成物で潜在画像が印刷形成され、硬貨で擦ることにより硬貨の削られた金属で印刷された前記潜在画像が着色され視認可能となることを特徴とする葉書。
【発明の詳細な説明】
【技術分野】
【０００１】
本発明は、通販申込や顧客に対するアンケート調査や資料申込み等のために事業者が顧客に送付するダイレクトメール、あるいは顧客が購入した商品に添付したり、量販店に備え付けたりして使用される葉書に関し、特に潜在画像領域にスクラッチくじからなる潜在画像を備え隠蔽葉書形態の広告付葉書に関する。
【背景技術】
【０００２】
従来から、通販申込や顧客に対するアンケート調査や資料申込みのためにダイレクトメール、あるいは顧客が購入した商品に添付したり、量販店に備え付けたりして使用される葉書には、個人情報保護意識の高まりに伴い、顧客が記入した個人情報を保護するために隠蔽葉書が広く使用されている（例えば、特許文献１参照）。
しかし、例えば、アンケート調査単独の葉書では、事業者の製品等に興味を伴わず、顧客の回答する可能性が低いものとなる。
【０００３】
一方、顧客の興味を惹くための一つの手法として、コインスクラッチくじ付の広告が知られている。その、広告に付されたコインスクラッチくじとしては、紙等の被印刷物の表面に例えば、あたり、はずれ等のくじを印刷し、その上にくじを遮蔽すると共に、摩擦、ひっかき等により脱落する不透明な銀インキ層を設け、摩擦、ひっかき等により銀インキ層が脱落し、下のくじが表出するものが利用されている。該手法は、脱落した銀インキ層がごみ屑となるために、他の手法として、硬貨の金属よりも硬度の大きい材料で、あたり、はずれ等のくじを印刷し、その印刷されたくじの部分を硬貨で擦ると削り取られた金属によってくじの部分が着色され、潜在化していたくじが視認可能に顕在化するものも知られている（例えば、特許文献２参照）。しかし、該他の手法は、くじの部分を見る角度を変え凝視すると、下地とくじの部分との光沢差あるいは濃度差によって潜在化されたくじの部分を透視できることがあるという問題がある。
さらに、コインスクラッチくじ付の広告と葉書とは、別体であり、コインスクラッチくじ付の広告の顕在化したくじの部分を切り取って、葉書に貼付しなければならず、手間隙がかかり、結果として、アンケートの回答率が向上しない、あるいは、申込み数が増加しないという問題がある。そこで、顧客の興味を惹き、販売促進効果があり、親展性の高い葉書の開発が要望されていた。
【先行技術文献】
【特許文献】
【０００４】
【特許文献１】特開平７−２１４９４７号公報
【特許文献２】特公平６−７８０３９号公報
【発明の概要】
【発明が解決しようとする課題】
【０００５】
本発明は、上記のような従来の問題点に鑑み、広告付き隠蔽葉書の形態とし、広告により販売促進効果を高め、記載された情報を隠蔽することにより親展性を高めることができ、スクラッチくじからなる潜在画像を印刷形成することにより、顧客の興味を惹き、アンケートの回答率や申込み数を高めることが可能な葉書を提供するものである。
【課題を解決するための手段】
【０００６】
上記課題を解決するために、請求項１に記載の本発明は、矩形状の略葉書３枚分のサイズの基紙にミシン目で形成された折目線とミシン目で形成された切取線が当該基紙を略３等分する位置に設けられ、葉書本体片と記入用紙片とが前記折目線を介して連接され、記入用紙片と広告用紙片とが前記切取線を介して連接されている葉書であって、基紙を展開して広告用紙片と記入用紙片と葉書本体片とが順に並んで一面を成す状態で、その一方の面を外側面とし、その他方の面を内側面とした場合、前記葉書本体片の外側面には受取人の郵便番号、住所、宛名が記載され、前記葉書本体片の内側面には再剥離再貼付粘着剤層を介して剥離紙が重ねられ、前記記入用紙片の外側面の一部には潜在画像形成領域が設けられ、前記記入用紙片の内側面には所定事項記入欄が設けられ、前記広告用紙片の外側面及び前記記入用紙片の外側面に渡って広告スペースが設けられ、前記潜在画像形成領域には前記記入用紙片を構成する基紙の外側面の上に地紋印刷層が形成され、前記地紋印刷層の上に硬貨の金属よりも硬度の大きい材料を含むインキ組成物で潜在画像が印刷形成され、硬貨で擦ることにより硬貨の削られた金属で印刷された前記潜在画像が着色され視認可能となることを特徴とする葉書である。
【０００７】
また、請求項２に記載の本発明は、矩形状の略葉書３枚分のサイズの基紙にミシン目で形成された折目線とミシン目で形成された切取線が当該基紙を略３等分する位置に設けられ、葉書本体片と記入用紙片とが前記折目線を介して連接され、記入用紙片と広告用紙片とが前記切取線を介して連接されている葉書であって、基紙を展開して広告用紙片と記入用紙片と葉書本体片とが順に並んで一面を成す状態で、その一方の面を外側面とし、その他方の面を内側面とした場合、前記葉書本体片の外側面には受取人の郵便番号、住所、宛名が記載され、前記葉書本体片の内側面には再剥離再貼付粘着剤層を介して剥離紙が重ねられ、前記記入用紙片の外側面の一部には潜在画像形成領域が設けられ、前記記入用紙片の内側面には所定事項記入欄が設けられ、前記広告用紙片の外側面及び前記記入用紙片の外側面に渡って広告スペースが設けられ、前記剥離紙の折目線の側の側端縁が折目線よりも葉書本体片側に後退しており、前記潜在画像形成領域には前記記入用紙片を構成する基紙の外側面の上に地紋印刷層が形成され、前記地紋印刷層の上に硬貨の金属よりも硬度の大きい材料を含むインキ組成物で潜在画像が印刷形成され、硬貨で擦ることにより硬貨の削られた金属で印刷された前記潜在画像が着色され視認可能となることを特徴とする葉書である。
【発明の効果】
【０００８】
本発明の葉書は、矩形状の略葉書３枚分のサイズの基紙にミシン目で形成された折目線とミシン目で形成された切取線が当該基紙を略３等分する位置に設けられ、葉書本体片と記入用紙片とが連接されている葉書であって、基紙を展開して広告用紙片と記入用紙片と葉書本体片とが順に並んで一面を成す状態で、その一方の面を外側面とし、その他方の面を内側面とした場合、前記葉書本体片の外側面には受取人の郵便番号、住所、宛名が記載され、前記葉書本体片の内側面には再剥離再貼付粘着剤層を介して剥離紙が重ねられ、前記記入用紙片の外側面の一部には潜在画像形成領域が設けられ、前記記入用紙片の内側面には所定事項記入欄が設けられ、前記広告用紙片の外側面及び前記記入用紙片の外側面に渡って広告スペースが設けられている構成とすることにより、所定事項記入欄に記載した個人情報を隠蔽することができ、第三者に対して個人情報保護が可能となり、顧客に安心感を与え、葉書の例えばアンケートの回答率を高めることができる。
また、記入用紙片には潜在画像形成領域が設けられ、潜在画像形成領域には基紙の上に地紋印刷層が形成され、地紋印刷層の上に硬貨の金属よりも硬度の大きい材料を含むインキ組成物で潜在画像が印刷形成され、硬貨で擦ることにより硬貨の削られた金属で印刷された潜在画像が着色され視認可能となる構成とすることにより、地紋印刷層により、潜在画像が透視されることがなく、硬貨等で潜在画像形成領域を擦ることによって、初めて硬貨の削りとられた金属で潜在画像が着色されることにより顕在化して視認可能となる。
また、潜在画像形成領域に地紋印刷層が形成されているので顧客は硬貨で擦る領域を容易に確認できる。
【０００９】
また、剥離紙の再剥離再貼付粘着剤層の反対面および記入用紙片の折目線にて二つ折りされ外側となる面には広告を掲載するスペースとして使用でき葉書と広告とを一体化でき、顧客の目を惹き、販売促進効果を高めることができる。
【図面の簡単な説明】
【００１０】
【図１】本発明に係る葉書の一実施形態を示す平面図であって、（イ）は外側から見た図、（ロ）は内側から見た図である。
【図２】図１（イ）のＸ−Ｘ線断面図である。
【図３】本発明に係る葉書の一実施形態を示す平面図であって、潜在画像形成領域を硬貨等で擦り、潜在画像を着色した状態を示す外側から見た図である。
【図４】本発明に係る葉書の使用方法を示す説明図である。
【発明を実施するための形態】
【００１１】
以下図面を用いて、本発明の実施形態について説明する。図１は本発明に係る葉書の一実施形態を示す平面図であって、（イ）は外側から見た図、（ロ）は内側から見た図、図２は図１（イ）のＸ−Ｘ線断面図、図３は本発明に係る葉書の一実施形態を示す平面図であって、潜在画像形成領域を硬貨等で擦り、潜在画像を着色した状態を示す外側から見た図、図４は本発明に係る葉書の使用方法を示す説明図である。図中の符号１は基紙、２は折目線、３は切取線、１０は葉書本体片、１１は郵便番号、１２は住所・宛名、１３は再剥離再貼付粘着剤層、１４は剥離紙、２０は記入用紙片、２１は地紋印刷層、２２は潜在画像、２２’は顕在画像、２３は潜在画像形成領域、２４は所定事項記入欄、３０は広告用紙片、Ｐは葉書をそれぞれ示す。
【００１２】
本発明の葉書の一実施形態は、図１、図２に示す通りである。本発明の一実施形態の葉書Ｐは、矩形状の略葉書３枚分のサイズの基紙１にミシン目で形成された折目線２と切取線３が基紙１を略３等分する位置に設けられ、葉書本体片１０と記入用紙片２０とが折目線２を介して連接され、記入用紙片２０と広告用紙片３０とが切取線３を介して連接されている構成である。葉書本体片１０の外側面には、受取人の郵便番号１１、住所・宛名１２が記載され、葉書本体片１０の折目線２にて二つ折りされ内側となる面に再剥離再貼付粘着剤層１３（図２参照）を介して剥離紙１４が重ねられ、剥離紙１４の表面には記入時の注意事項や、広告が掲載されている。
【００１３】
記入用紙片２０の外側面には潜在画像形成領域２３が設けられ、潜在画像形成領域２３には全面に地紋印刷層２１が形成され、地紋印刷層２１の上に潜在画像２２（白抜き文字で示した）として「あたり」の文字が印刷形成されている。潜在画像２２は、硬貨で擦る前は視認不可能であり、硬貨で擦ることのより初めて顕在化するものである。なお、潜在画像２２の「あたり」の文字は抜き文字にして「あたり」の文字以外をの周辺を潜在画像としてもよい。また、潜在画像２２は、文字、数字、記号、図形、絵柄等、あるいはこれらの組合せで任意に形成できる。記入用紙片２０の折目線２にて二つ折りされ内側となる面には図１（ロ）に示すようにアンケートや顧客の住所氏名を記入する所定事項記入欄２４が設けられている。所定事項記入欄２４には、アンケートの記入例を示したが、商品の申込書欄や資料の請求欄等でもよく、用途により任意に設けることができる。
【００１４】
広告用紙片３０の外側、内側の両面は、図示しないが広告スペースとして使用される。広告用紙片３０は、広告掲載量により適宜増減できるものであり、広告掲載量が少なければ設けなくてもよいし、逆に多ければ複数設けてもよい。また、葉書本体片、記入用紙片、広告用紙片を連接する順番は、葉書本体片と記入用紙片とが連接していることが必要であり、この要件を満足する限り、特に限定されるものでなく、例えば、広告用紙片／葉書本体片／記入用紙片、広告用紙片／記入用紙片／葉書本体片、広告用紙片／葉書本体片／記入用紙片／広告用紙片、広告用紙片／記入用紙片／葉書本体片／広告用紙片等いずれでもよい。
【００１５】
図２は図１（イ）のＸ−Ｘ線断面図であり、本発明の葉書Ｐは、基紙１に設けられた折目線２と切取線３が基紙１を略３等分する位置に設けられ、葉書本体片１０と記入用紙片２０とが折目線２を介して連接され、記入用紙片２０と広告用紙片３０とが切取線３を介して連接されている構成である。折目線２と切取線３は、ミシン目以外に折目線、切取線を示す表示や折罫線やハーフカットでもよいが、ミシン目の方が折目線２に沿って容易に二つ折りでき、また、鋏を用いることなく切取線３に沿って簡単に広告紙片３０を切り取り分離することができるので好ましい。
【００１６】
葉書本体片１０の折目線２にて二つ折りされ内側となる面には、基紙１の上に再剥離再貼付粘着剤層１３を介して剥離紙１４が重ねられ、記入用紙片２０の外側面には潜在画像形成領域２３（図１参照）が設けられ、潜在画像形成領域２３には基紙１の上に全面に地紋印刷層２１が形成され、地紋印刷層２１の上に硬貨の金属よりも硬度の大きい材料を含むインキ組成物で潜在画像２２が印刷形成されている。
【００１７】
次に、本発明の葉書Ｐに使用される材料について説明する。葉書本体片１０、記入用紙片２０、広告用紙片３０となる基紙１には上質紙、カード紙、コート紙、クレーコート紙、クラフト紙等が使用でき、坪量及び大きさは、郵便法の規定に基づく範囲で任意に選定できる。剥離紙１４には上質紙、クラフト紙、コート紙、グラシン紙等が使用でき、さらに、少なくとも再剥離再貼付粘着剤層１３と接する側の面にシリコン系あるいはアクリル系樹脂等が印刷あるいはコートされ再剥離再貼付粘着剤層１３との離型性を備えている。
【００１８】
再剥離再貼付粘着剤層１３に使用される粘着剤は感圧タイプのものが用いられ、記入用紙片２０の所定事項記入欄２４が設けられた面との密着及び再剥離を容易にするように調整されており、バインダー成分と粘着性微球成分等の混合物で構成されている。バインダー成分は、例えば、アクリルエマルジョン型粘着剤等が用いられ、粘着性微球成分には、大きさが１０〜１５０μｍの微粒子状でメタアクリル酸エステル等の材質が使用される。
【００１９】
潜在画像形成領域２３に形成される潜在画像２２は、硬貨の金属よりも硬度の大きい材料を含むインキ組成物で構成され、その具体的構成は特許文献２（特公平６−７８０３９号公報）に詳述されており、例えば、硬貨の金属よりも硬度の大きい材料として酸化チタン、酸化アルミニウム、二酸化珪素、酸化クロム等を使用するものである。これらのインキ組成物を用いてオフセット印刷、ＵＶオフセット印刷、グラビア印刷、シルクスクリーン印刷、フレキソ印刷、凸版印刷、ＵＶ凸版印刷のいずれかの印刷方式で印刷形成される。地紋印刷層２１は、硬貨の金属よりも硬度の小さい材料からなるインキ組成物で構成され、周知のオフセット印刷用インキ、グラビア印刷用インキ、シルクスクリーン印刷用インキ、フレキソ印刷用インキ、凸版印刷用インキ等のプロセスインキ４色や特色を用いて上記印刷方式で形成される。このような構成とすることで地紋印刷層２１により、潜在画像２２が透視されることがなく、硬貨等で潜在画像形成領域２３を擦ることによって、初めて硬貨の削りとられた金属で潜在画像２２が着色されることにより顕在化して視認可能となる。また、地紋印刷層２１の構成は、黄、赤、藍、墨のプロセスインキ４色を用いて網点状に印刷形成する方が、１色の場合に比べ、見る人の焦点が散漫となり、潜在画像２２がより一層、透視しにくいものとなるので好ましいものである。
【００２０】
図３は、本発明に係る葉書の一実施形態を示す平面図であって、図１（イ）に示す状態の潜在画像形成領域を硬貨等で擦り、潜在画像を着色した状態を示す外側から見た図である。図３に示すように、記入用紙片２０の外側面に設けられた潜在画像形成領域２３を硬貨で擦ると、硬貨で擦る前は視認不可能であった潜在画像２２である「あたり」という文字（図１の白抜き文字で示す）が、硬貨の削られた金属で着色され初めて顕在化され顕在画像２２’となり視認可能となるものである。なお、使用する硬貨は、１円、５円、１０円、５０円、１００円、５００円等の日本国の硬貨や、外国の硬貨も使用できる。また、例えば、アルミニウム、黄銅（真鍮）、青銅、白銅、ニッケル黄銅等の金属片も使用できる。
【００２１】
次に図４を参照しながら本発明の葉書Ｐの使用方法を説明する。まず、顧客は葉書Ｐの葉書本体片１０の内側面の剥離紙１４、記入用紙片２０の外側面および広告用紙片３０の両面に掲載された広告を見て、興味を示し、さらに、図３に示すように潜在画像形成領域２３を硬貨等で擦り、くじからなる顕在画像２２’を視認することにより、一層興味が増し、記入用紙片２０の内側面に設けられた所定事項記入欄２４のアンケート等や住所氏名等を記入する。
【００２２】
記入後、図４（イ）に示すように広告用紙片３０を切取線３で切り取り、さらに葉書本体片１０の剥離紙１４を剥離して取り除く。つぎに図４（ロ）に示すように露出した再剥離再貼付粘着剤層１３の面を内側にして、折目線２で二つ折りして記入用紙片２０の所定事項記入欄２４が設けられた面に圧着貼付し所定事項記入欄２４を隠蔽する。そして、単体葉書として投函すればよい。
【００２３】
さらに、顧客から送られてきた葉書Ｐについて、事業者等においては、葉書本体片１０を記入用紙片２０から剥離し、図４（ハ）に示すように見開き状態にしてアンケート回答内容等を確認する。その後、折目線２に沿って切り離し、記入用紙片２０は、事業者等で所定の手順に従い運用される。
【００２４】
以上、本発明の葉書は、少なくとも葉書本体片と記入用紙片とを連接させ隠蔽葉書の機能を備え、さらに記入用紙片等に広告を掲載して広告付き隠蔽葉書の形態とすることにより、顧客に対して個人情報が保護される安心感と広告による販売促進効果を高めることができ、さらに、記入用紙片にスクラッチくじからなる潜在画像を印刷形成することにより顧客の興味を一層惹くことにより、アンケートの回答率を高めるものである。また、本発明の葉書は、通販申込や資料申込み等のために事業者が顧客に送付するダイレクトメール、あるいは顧客が購入した商品に添付したり、量販店に備え付けたりして使用される広告付葉書に使用することができ、申込み数の増加を図ることが可能になるものである。
【符号の説明】
【００２５】
１                              基紙
２                              折目線
３                              切取線
１０                            葉書本体片
１１                            郵便番号
１２                            住所・宛名
１３                            再剥離再貼付粘着剤層
１４                            剥離紙
２０                            記入用紙片
２１                            地紋印刷層
２２                            潜在画像
２２’                          顕在画像
２３                            潜在画像形成領域
２４                            所定事項記入欄
３０                            広告用紙片
Ｐ                              葉書
【図１】
0005531540.tif 000002
【図２】
0005531540.tif 000003
【図３】
0005531540.tif 000004
【図４】
0005531540.tif 000005